(57)【要約】【解決手段】  本発明は、記録媒体用のカセットにおいて、上側ケーシング及び下側ケーシング（６０）と、上側ケーシングと下側ケーシングの間に設けられ、記録媒体（２）のロールを保持するためのスプール（６２）と、スプールを取り囲み、上側ケーシングと下側ケーシングを接合するための側部ケーシング（６６）と、を備えており、側部ケーシングが、圧入嵌合又はスナップ嵌合の接続によって上側及び下側ケーシングの少なくとも一方に嵌め合わされている、カセットに関する。カセット及びプリンタの各種実施形態も開示されている。
2006512223.tif 000002
【特許請求の範囲】
【請求項１】
記録媒体用のカセットにおいて、上側ケーシング及び下側ケーシングと、前記上側ケーシングと前記下側ケーシングの間に配置されている記録媒体のロールを保持するためのスプールと、前記スプールを取り囲み前記上側ケーシングと前記下側ケーシングを接合するための側部ケーシングとを備えており、前記側部ケーシングが、圧入嵌合又はスナップ嵌合接続で、前記上側ケーシングと前記下側ケーシングの少なくとも一方に装着されている、カセット。
【請求項２】
前記上側及び下側ケーシングと、前記スプールは、それぞれ、前記部品の間で実質的に整列した実質的に中央の貫通孔を有している、請求項１に記載のカセット。
【請求項３】
前記上側及び下側ケーシングの一方の前記貫通孔の中に配置され、前記スプールを回転させるために前記スプールの貫通孔の中に伸張する寸法に製作されたスプロケットを更に備えている、請求項２に記載のカセット。
【請求項４】
前記スプロケットは、前記スプールに圧入嵌合又はスナップ嵌合で装着される、請求項３に記載のカセット。
【請求項５】
前記上側及び下側ケーシングの前記一方ではない他方に配置され、前記スプールの前記貫通孔の中に伸張する寸法に製作されたプラグを更に備えている、請求項３又は４に記載のカセット。
【請求項６】
前記上側及び下側ケーシングは、溝及び／又は突起を備えており、前記側部ケーシングは、圧入嵌合又はスナップ嵌合による接続を有効にするための、対応する突起及び／又は溝を備えている、上記請求項の何れか一項に記載のカセット。
【請求項７】
前記上側及び下側ケーシングと前記側部ケーシングは、略円形の形状をしており、前記スプール上に配置された記録媒体が通って出て行く出口領域を備えている、上記請求項の何れか一項に記載のカセット。
【請求項８】
前記上側及び下側ケーシングは、それぞれ、記録媒体が前記カセットを出て行く際に通る前記出口領域の区域に、略円形の形状から接線方向外向きに伸張している突起を備えている、請求項７に記載のカセット。
【請求項９】
前記スプールが前記スプロケットにより回転されていないときに、前記スプールから記録媒体が巻き出されるのを防ぐために、前記出口領域に設けられた１つ又は複数の板ばねを更に備えている、請求項７又は８に記載のカセット。
【請求項１０】
記録媒体用のカセットにおいて、記録媒体用の出口領域と、前記出口領域に配置されている第１及び第２フランジと、を備えており、前記各フランジは、記録媒体の縁部を受け入れ、前記縁部を前記溝に沿って通過させるように作られた１つ又は複数の溝を備えている、記録媒体用カセット。
【請求項１１】
前記第１及び第２フランジは、前記第１フランジが記録媒体の第１縁部を受け入れ、前記第２フランジが、前記記録媒体の第１縁部と反対側の第２縁を受け入れることができるように配置されている、請求項１０に記載の記録媒体用カセット。
【請求項１２】
前記各溝は互いに平行な向きに配置されている、請求項１０又は１１に記載の記録媒体用カセット。
【請求項１３】
前記各フランジは、或る距離だけ離れて配置された第１及び第２溝を備えており、前記各溝は、記録媒体が前記第１溝に入り、前記距離を横切って前記第２溝に入ることができるように作られている、請求項１０から１２の何れか一項に記載の記録媒体用カセット。
【請求項１４】
前記第１フランジは前記カセットの第１外壁から伸張し、前記第２フランジは前記カセットの第２外壁から伸張しており、前記両フランジが、前記カセットの前記第１及び第２外壁から実質的に等距離の位置において前記カセットから外に記録媒体を案内することができるようになっている、請求項１０から１３の何れか一項に記載の記録媒体用カセット。
【請求項１５】
記録媒体をロール形状に保持するように配置されており、前記両フランジは、前記記録媒体がそのロール形状から巻き出される際に、前記記録媒体の端部が前記溝を通って前記カセットを出ることができるように配置されている、請求項１５に記載の記録媒体用カセット。
【請求項１６】
ケーシングを備えている記録媒体用カセットにおいて、前記ケーシングの或る領域には外面にリブがあり、前記リブは、前記カセットを挿入することのできる装置の溝の中を滑動できるようになっており、前記リブは、前記カセットを挿入することのできる装置の戻り止めにラッチ係合するように作られている突起部を備えている、カセット。
【請求項１７】
前記リブは全体的に細長い、請求項１６に記載のカセット。
【請求項１８】
上側及び下側ケーシングを備えており、前記リブは、前記上側及び下側ケーシングの一方の外面上に配置されている、請求項１６又は１７に記載のカセット。
【請求項１９】
前記上側及び下側ケーシングそれぞれの外面には、１つ又は複数のリブが配置されている、請求項１８に記載のカセット。
【請求項２０】
前記リブは、それらが配置されている前記外面から外向きにモールド成形されている、請求項１６から１９の何れか一項に記載のカセット。
【請求項２１】
記録媒体のカセットを受け入れるように作られた記録媒体収容ベイを有する印刷装置において、前記収容ベイは、記録媒体のカセットを前記記録媒体収容ベイに挿入する際に、前記カセットのリブが沿って滑動することのできる溝を備えており、前記溝は、記録媒体のカセットのリブの突起部がラッチ係合することのできる戻り止めを備えている、印刷装置。
【請求項２２】
前記溝は全体的に細長い、請求項２１に記載の印刷装置。
【請求項２３】
前記記録媒体収容ベイは、前記溝が配置されているカセット支持体を備えており、前記支持体は、前記記録媒体収容ベイに可動的弾性的に取り付けられ、記録媒体のカセットを前記記録媒体収容ベイへ挿入し易くしている、請求項２１又は２２に記載の印刷装置。
【請求項２４】
前記記録媒体収容ベイは、第２カセット支持体を更に備えており、前記第２支持体は、記録媒体のカセットが、前記記録媒体収容ベイの前記両支持体の間に受け入れられるように、前記記録媒体収容ベイに可動的弾性的に取り付けられている、請求項２３に記載の印刷装置。
【請求項２５】
前記両支持体の間に記録媒体のカセットを挿入するために、前記支持体同士を離すように操作可能で、且つ挿入された記録媒体カセットを前記記録媒体収容ベイに対して実質的に固定された位置に保持するために、前記両支持体を互いに向けて移動できるように操作可能である機構を更に備えている、請求項２４に記載の印刷装置。
【請求項２６】
前記機構は、前記支持体を前記記録媒体収容ベイに対して１つ又は複数の固定された位置に係止するための手段を備えている、請求項２５に記載の印刷装置。
【請求項２７】
前記機構は、前記両支持体を、前記記録媒体収容ベイに対して略等しい距離だけ互いに向けて動かすように配置された１つ又は複数のばねとギヤの配列を備えている、請求項２５又は２６に記載の印刷装置。
【請求項２８】
前記両支持体は手動で離すことができる、請求項２５から２７の何れか一項に記載の印刷装置。
【請求項２９】
前記記録媒体のカセットの前記リブは、前記印刷装置の記録媒体収容ベイの溝の中を滑動できるようになっている、請求項２１から２８の何れか一項に記載の印刷装置と請求項１６から２０の何れか一項に記載の記録媒体のカセットの組み合わせ。
【請求項３０】
記録媒体のカセットを受け入れるように作られた記録媒体収容ベイを有する印刷装置において、前記収容ベイは、可動的弾性的方法で取り付けられた第１及び第２支持体を備えており、前記印刷装置は、前記両支持体の間に記録媒体のカセットを挿入するために、前記支持体同士を離すように操作可能で、且つ挿入された記録媒体カセットを前記記録媒体収容ベイに対して実質的に固定された位置に保持するために、前記両支持体を互いに向けて移動できるように操作可能である機構を更に備えている、印刷装置。
【請求項３１】
前記機構は、前記記録媒体収容ベイに対して１つ又は複数の固定された位置に前記支持体を係止するためのレバーを備えている、請求項３０に記載の印刷装置。
【請求項３２】
前記機構は、前記両支持体を前記記録媒体収容ベイに対して実質的に等しい距離だけ互いに向けて動かすように配置された１つ又は複数のばねとギヤの配列を備えている、請求項３０又は３１に記載の印刷装置。
【請求項３３】
前記両支持体は手動で離すことができる、請求項３０から３２の何れか一項に記載の印刷装置。
【請求項３４】
カセットを中に受け入れるように作られている印刷装置において、ランプ手段と弾性的可動部の内の一方であって、カセット側のランプ手段と弾性的可動部の内の他方と相互作用することのできるランプ手段と弾性的可動部の内の一方を備えており、前記カセットの挿入時に、前記ランプ手段が、前記弾性的可動部を、前記カセットの挿入を阻止する位置から前記カセットの挿入を許容する位置まで移動させるようになっている、印刷装置。
【請求項３５】
前記印刷装置は、前記ランプ手段を備えており、前記カセットが挿入されると、前記弾性的可動部がラッチ係合することのできる戻り止めを更に備えている、請求項３４に記載の印刷装置。
【請求項３６】
カセットの弾性的可動部が前記戻り止めにラッチ係合されると、前記印刷装置は前記カセットを使って印刷するように操作することができる、請求項３５に記載の印刷装置。
【請求項３７】
前記戻り止めは、カセットが前記印刷装置へ挿入されると、前記弾性的可動部が可動となり、カセットを前記印刷装置から取り出すことができるように構成されている、請求項３４に記載の印刷装置。
【請求項３８】
印刷装置に受け入れられるように作られたカセットにおいて、ランプ手段と弾性的可動部の内の一方であって、印刷装置側のランプ手段と弾性的可動部の内の他方と相互作用することのできるランプ手段と弾性的可動部の内の一方を備えており、前記カセットの挿入時に、前記ランプ手段は、前記カセットの挿入を阻止する位置から前記カセットの挿入を許容する位置まで弾性的可動部を移動させるようになっている、カセット。
【請求項３９】
前記カセットは、前記ランプ手段を備えており、前記カセットが挿入されると、前記弾性的可動部がラッチ係合することのできる戻り止めを更に備えている、請求項３８に記載のカセット。
【請求項４０】
前記戻り止めは、前記カセットが印刷装置へ挿入されると、前記弾性的可動部が可動となり、前記カセットを印刷装置から取り出すことができるように構成されている、請求項３８に記載のカセット。
【請求項４１】
印刷装置と前記印刷装置に受け入れられるように作られたカセットとの組み合わせにおいて、前記印刷装置は、カセットのランプ手段と相互作用することのできる弾性的可動部を備えており、前記カセットの挿入時に、前記ランプ手段が、前記弾性的可動部を、前記カセットの挿入を阻止する位置から前記カセットの挿入を許容する位置まで移動させるようになっている、印刷装置とカセットの組み合わせ。
【請求項４２】
前記カセットは、前記カセットが挿入されると、前記弾性的可動部がラッチ係合することのできる戻り止めを更に備えている、請求項４１に記載の組み合わせ。
【請求項４３】
前記戻り止めは、前記カセットが前記印刷装置へ挿入されると、前記弾性的可動部が可動となり、前記カセットを前記印刷装置から取り出すことができるように構成されている、請求項４１又は４２に記載の組合せ。
【請求項４４】
記録媒体を保持するための中空のスプールと、前記スプールの少なくとも一部の内側に配置され、前記スプールを回転させ記録媒体を前記スプールから巻き出すために駆動することのできるスプロケットと、を備えているカセットにおいて、前記スプロケットの、前記スプールの内面と接している面は、前記スプールの内面を支持する複数の突起を備えている、カセット。
【請求項４５】
前記スプールは、圧縮可能な材料で作られており、前記複数の突起は前記材料の局所的変形を生じさせる、請求項４４に記載のカセット。
【請求項４６】
前記突起は、前記スプールの内面にを支持するため鋸歯状の外形を有している、請求項４４又は４５に記載のカセット。
【請求項４７】
前記突起は、前記スプロケットの前記面の周りに配置された複数の三角形リブを備えている、請求項４４から４６の何れか一項に記載のカセット。
【請求項４８】
記録媒体を保持しているカセットを受け入れるためのカセット収容ベイを備えているプリンタにおいて、前記カセット収容ベイは、カセットを前記収容ベイ内に挿入できるように開くことができ且つカセットを挿入するとばね力で閉じて挿入されたカセットを前記収容ベイ内に係止するように配置された、ばね付勢部を備えている、プリンタ。
【請求項４９】
前記ばね付勢部は、カセットの挿入方向に直交する面内で開閉するように配置されている、請求項４８に記載のプリンタ。
【請求項５０】
前記ばね付勢部は、円筒形をしており、その中心軸周りの方向に開閉するように配置されている、請求項４９に記載のプリンタ。
【請求項５１】
前記カセット収容ベイは固定部分を更に備えており、前記ばね付勢部が開くと、前記ばね付勢部と前記固定部は一体となって１つ又は複数の溝を形成し、挿入時にはカセットの対応する１つ又は複数のリブが前記溝の中を通って滑動することができ、これによってカセットの挿入時に前記ばね付勢部を開位置に維持する、請求項４８から５０の何れか一項に記載のプリンタ。
【請求項５２】
前記ばね付勢部は、閉じた際に、カセットのリブの端部に当たるように配置されることにより、挿入されたカセットが挿入方向とは逆の方向に移動しないように配置された当接部を備えている、請求項５１に記載のプリンタ。
【請求項５３】
前記カセット収容ベイに挿入されたカセットを記録媒体が出て行く領域に配置されたローラー駆動手段を更に備えており、前記ばね付勢部は、前記ばね力で閉じると、前記ローラー手段を、カセットを挿入することのできる位置から、前記記録媒体が挿入されたカセットを出て行く際にそれが記録媒体に接することになる位置に向けて、移動させるように構成されている、請求項４８から５２の何れか一項に記載のプリンタ。
【請求項５４】
前記ばね付勢部は、前記ローラー駆動手段が、挿入されたカセットを前記記録媒体が出て行く際にそれが記録媒体に接することになる前記位置へと動くだけ、前記ローラー駆動手段を移動させるように構成されている、請求項５３に記載のプリンタ。
【請求項５５】
前記ローラー駆動手段を、前記ばね付勢部分を閉じることにより動かされた位置から、挿入されたカセットを前記記録媒体が出て行く際にそれが記録媒体に接することになる前記位置に、動かすように操作することのできるレバー手段を更に備えている、請求項５３に記載のプリンタ。
【請求項５６】
前記レバー手段は、前記カセット収容ベイが閉じられた際に、前記駆動手段を動かすドアである、請求項５５に記載のプリンタ。
【請求項５７】
前記ローラー駆動手段は、回転可能に取り付けられており、様々な位置の間を回転によって動かすことができる、請求項５３から５６の何れか一項に記載のプリンタ。
【請求項５８】
プリンタで使用するためのカセットにおいて、前記カセットの外側面上に１つ又は複数のリブを備えており、前記リブの少なくとも１つは、実質的にチャネル形状をしており、前記チャネル形状の脚部の少なくとも１つは、前記チャネル形状の基部に対して９０度より大きい角度で配置されている、カセット。
【請求項５９】
前記チャネル形状の前記脚部より前に前記チャネル形状の前記基部を挿入する方向に、プリンタ内へ挿入することを意図した、請求項５８に記載のカセット。
【請求項６０】
前記脚部の１つは他の脚部よりも短い、請求項５８又は５９に記載のカセット。
【請求項６１】
前記他の脚部は、実質的に、前記リブが配置されている前記カセットの外側面の幅に亘って伸びている、請求項６０に記載のカセット。
【請求項６２】
プリンタとカセットの組み合わせにおいて、前記プリンタは、前記カセットを受け入れるためのカセット収容ベイを備えており、前記カセット収容ベイは、固定部分と、前記カセットを前記収容ベイに挿入できるように開くことができ且つ前記カセットを挿入するとばね力で閉じて前記挿入されたカセットを前記収容ベイ内に係止するように構成されたばね付勢部と、を備えており、前記ばね付勢部が開くと、前記ばね付勢部と前記固定部は一体となって１つ又は複数の溝を形成し、挿入時には前記カセットの対応する１つ又は複数のリブが前記溝を通って滑動することができ、これによって挿入時に前記ばね付勢部を開位置に維持する、プリンタとカセットの組み合わせ。
【請求項６３】
前記カセットの前記リブの少なくとも１つは実質的にチャネル形状をしており、前記チャネル形状の脚部の少なくとも１つは、前記チャネル形状の基部に対して９０度より大きい角度で配置されており、而して、前記チャネル形状の前記脚部より前に前記チャネル形状の前記基部を挿入する方向に前記カセットを円滑に挿入し易くしている、請求項６２に記載の組み合わせ。
【請求項６４】
前記脚部の１つは他の脚部よりも短く、前記脚部の前記１つは、前記カセットを前記カセット収容ベイに挿入すると、前記カセット収容ベイの前記ばね付勢部の一部に当接して、これにより前記カセットを前記カセット収容ベイ内に保持するように構成されている、請求項６３に記載の組み合わせ。
【請求項６５】
前記リブの少なくとも１つの他方のリブは、細長く、前記ばね付勢部と前記固定部によって形成された対応する細長い溝を通って滑動するように配置されており、而して、前記リブの長さに直交する方向に関して正しい挿入位置に前記カセットを維持する、請求項６２から６４の何れか一項に記載の組み合わせ。
【請求項６６】
ケーシングを備え、前記ケーシング内に配置されている記録媒体を巻き付けたロールを有し、前記ロールは前記記録媒体の端が前記ケーシングを出ることができるように巻き出すことのできる、記録媒体のカセットにおいて、前記カセットは、更に、前記ケーシング上に配置され、前記記録媒体に働きかけて前記記録媒体の前記ロールの中心に向かう方向に力を作用させる向きに配置された板ばねを備えている、記録媒体のカセット。
【請求項６７】
前記記録媒体は、スプールに巻き付けられており、前記力は前記スプールに向かう方向に働いている、請求項６６に記載の記録媒体のカセット。
【請求項６８】
前記板ばねは、前記ばねが前記記録媒体に接する点で、前記記録媒体に沿って接線方向に、更なる力を作用させる、請求項６６又は６７に記載の記録媒体のカセット。
【請求項６９】
前記板ばねは、前記板ばねを前記ケーシングに取り付ける取り付け部と、前記取付部から前記記録媒体に向けて突き出ている湾曲部と、を有している、請求項６６から６８の何れか一項に記載の記録媒体のカセット。
【請求項７０】
前記ケーシングは、前記板ばねの前記取り付け部が装着される突起を備えている、請求項６９に記載の記録媒体のカセット。
【請求項７１】
前記ケーシングは、上側部分と下側部分を備えており、前記記録媒体のロールは、前記上側部分と前記下側部分の間に、前記上側及び下側部分の面に平行な方向に巻き出されるように配置されており、前記板ばねの前記取り付け部は前記上側及び下側部分の一方に取り付けられている、請求項６９又は７０に記載の記録媒体のカセット。
【請求項７２】
前記ケーシング上に配置され、前記記録媒体に働きかけて前記記録媒体のロールの中心に向かう方向に力を作用させる向きに配置された、別の板ばねを備えている、請求項６６から７１の何れか一項に記載の記録媒体のカセット。
【請求項７３】
前記板ばねは、前記記録媒体の一方の縁部に向けて働きかけるように配置され、前記別の板ばねは、前記記録媒体の他方の縁部に向けて働きかけるように配置されている、請求項７２に記載の記録媒体のカセット。
【請求項７４】
前記一方の板ばねは前記ケーシングの前記上側部分に取り付けられ、前記他方の板ばねは前記ケーシングの前記下側部分に取り付けられている、請求項７３に記載の記録媒体のカセット。
【請求項７５】
記録媒体を保持するための一組のカセットにおいて、各カセットは、上側部分と下側部分を備えており、前記上側部分と前記下側部分は、或る距離だけ離して配置され、前記距離に相当する幅を有する側面部に取り付けることにより一体に接合され、これによって、記録媒体のロールを、前記上側部分と前記下側部分の間に、前記記録媒体の幅が前記側面部の幅と実質的に平行な向きに配置された状態に保持できるようにしており、前記各カセットは異なる幅の側面部を有している、一組のカセット。
【請求項７６】
前記側面部の何れも、前記何れのカセットの前記上側部分と前記下側部分に嵌め込むことができる、請求項７５に記載の一組のカセット。
【請求項７７】
前記各側面部は、前記上側及び下側部分に取り付けるための同一の取り付け部を有している、請求項７６に記載の一組のカセット。
【請求項７８】
前記各カセットの前記上側及び下側部分は、前記側面部へ取り付けるための取り付け部が、他のどのカセットの前記上側及び下側部分の取り付け部とも同じである、請求項７５から７７の何れか一項に記載の一組のカセット。
【請求項７９】
カセットの前記上側及び下側部分は、圧入嵌合又はスナップ嵌合の接続によって側面部に取り付けられている、請求項７５から７８の何れか一項に記載の一組のカセット。
【請求項８０】
それぞれ、それぞれのカセットの前記側面部の幅に対応する幅を有する記録媒体のロールを保持している、請求項７５から７９の何れか一項に記載の一組のカセット。
【請求項８１】
前記記録媒体の幅は、それぞれのカセットの前記側面部の幅よりも僅かに狭い、請求項８０に記載の一組のカセット。
【請求項８２】
前記側面部の幅に基づいて調整された射出成形型を使うことにより製造される、請求項７５から８１の何れか一項に記載の一組のカセット。
【請求項８３】
前記射出成形型は、突き出し板を前記側面部成形用の前記型内に位置決めすることにより調整される、請求項８２に記載の一組のカセット。
【請求項８４】
記録媒体を保持しているカセットと共に使用するためのプリンタにおいて、
前記プリンタに挿入されたカセットの記録媒体を巻き出すために順方向に駆動し、記録媒体を巻き戻すために逆方向に駆動することができる駆動手段と、
挿入されたカセットが前記プリンタから取り出されることを検知し、そのような検知が行われたらカセットが取り出される旨を示す信号を生成するための検知手段と、を備えており、
前記駆動手段は、生成された信号を受信し、これに応えて、挿入されたカセットの記録媒体を或る長さだけ巻き戻すため逆方向に駆動するように構成されている、プリンタ。
【請求項８５】
カセットを前記プリンタから取り出そうとする表示をユーザーが入力する手段を更に備えており、前記検知手段は前記表示を検知するように構成されている、請求項８４に記載のプリンタ。
【請求項８６】
印刷された記録媒体の部分が切断される切断領域を有しており、前記駆動手段は、挿入されたカセットの記録媒体の長さを、前記切断領域と、記録媒体が挿入されたカセットを出る位置との間の距離に相当する量だけ巻き戻すために、逆方向に駆動するように構成されている、請求項８４又は８５に記載のプリンタ。
【請求項８７】
挿入されたカセットの記録媒体上に像が印刷される印刷領域を有しており、前記駆動手段は、挿入されたカセットの記録媒体の長さを、前記印刷領域と、記録媒体が挿入されたカセットを出る位置との間の距離に相当する量又はそれ以上巻き戻すために、逆方向に駆動するように構成されている、請求項８６に記載のプリンタ。
【請求項８８】
記録媒体を保持するカセットと共に使用するためのプリンタにおいて、
プラテンと印刷手段とを備えている印刷領域であって、前記プラテンと前記印刷手段は、両者の間に、前記プリンタに挿入されたカセット内に保持されている記録媒体を受け入れて、それにより或る長さの前記記録媒体上に像を印刷するように構成されており、前記プラテンは、或る長さの前記記録媒体を、前記印刷領域を通して駆動するよう回転させることができる、印刷領域と、
回転させることによって、挿入されたカセット内に保持されている記録媒体を巻き出して、これにより前記記録媒体を前記印刷領域に送給するように構成された送給ローラーを備えている駆動手段と、を備えており、
前記プリンタは、前記駆動手段によって巻き出された或る長さの記録媒体が前記印刷領域に到達すると、前記プラテンを回転させて、前記或る長さの記録媒体を、前記印刷領域を通して駆動するように構成されている、プリンタ。
【請求項８９】
前記駆動手段の前記送給ローラーが回転を開始した後、所定の時間が経過した時点で、前記プラテンに回転を開始させるように構成されたタイマーを備えている、請求項８８に記載のプリンタ。
【請求項９０】
前記印刷領域に配置され、或る長さの受像テープが前記プラテンの前記領域に入ったときを検知し、そのような検知があると、前記プラテンの回転を起こす信号を生成するように構成されているセンサーを備えている、請求項８８に記載のプリンタ。
【請求項９１】
前記センサーは、記録媒体の先導端が前記プラテンから事前に設定された距離だけ手前の箇所に到達するときを検知するように構成されている、請求項９０に記載のプリンタ。
【請求項９２】
前記駆動手段の前記送給ローラーは、前記プラテンの回転が始まると、回転を停止するように構成されている、請求項８８から９１の何れか一項に記載のプリンタ。
【請求項９３】
プリンタにおいて、
記録媒体を保持しているカセットを受け入れるためのカセット収容ベイと、
記録媒体が、前記カセット収容ベイに挿入されたカセットを出て行く領域に配置されたローラー駆動手段と、
前記ローラー駆動手段を、カセットを挿入できる位置から、前記記録媒体が挿入されたカセットを出て行く際に、前記記録媒体に接触する位置に、移動させるように操作することのできるレバー手段と、を備えているプリンタ。
【請求項９４】
前記レバー手段は、前記カセット収容ベイが閉られた際に、前記ローラー駆動手段を動かすドアである、請求項９３に記載のプリンタ。
【請求項９５】
前記ローラー駆動手段は、回転可能に取り付けられており、これにより回転によって前記２つの位置の間を動かすことができる、請求項９３又は９４に記載のプリンタ。
【請求項９６】
インクリボンカセットにおいて、
インクリボンのロールを保持するための供給スプールと、
前記供給スプールから巻き出されたインクリボンが巻き取られる巻き取りスプールと、
巻き出されたリボンを前記供給スプール上に巻き戻すため前記供給スプールを回転させるために配置されている駆動可能なスプロケットと、
前記供給スプールと前記巻き取りスプールの間の前記インクリボンの張りを維持するために前記スプロケットに軸方向に作用するように配置されたばねと、を備えているインクリボンカセット。
【請求項９７】
前記巻き取りスプールを回転させるために配置された第２の駆動可能スプロケットと、
前記供給スプールと前記巻き取りスプールの間の前記インクリボンの張りを維持するのを支援するために前記第２スプロケットに軸方向に作用するように配置された第２のばねと、を更に備えている請求項９６に記載のインクリボンカセット。
【請求項９８】
前記ばねと第２ばねはコイルばねである、請求項９６又は９７に記載のインクリボンカセット。
【請求項９９】
前記ばねと第２ばねは、前記スプロケットの端面上に支持されている、請求項９６から９８の何れか一項に記載のインクリボンカセット。
【請求項１００】
前記ばねと第２ばねの、各スプロケットに作用する端と反対の端は、前記カセットの内壁に支持されている、９６から９９の何れか一項に記載のインクリボンカセット。
【請求項１０１】
前記内壁は、各ばねを支持するそれぞれの平坦な部分で形成されている、請求項９９に記載のインクリボンカセット。
【請求項１０２】
前記スプロケットは、それぞれのばねを支持する端部を備えており、前記端部は、前記ばねを支持する内側円筒と、外側円筒とで形成されており、前記内側円筒は前記ばねの方向に向けて前記外側円筒よりも遠くまで伸張している、請求項９６から１０１の何れか一項に記載のインクリボンカセット。
【請求項１０３】
前記巻き取りスプールを回転させるように配設された第２の駆動可能スプロケットを更に備え、前記ばねは、更に、前記送給スプールと巻き取りスプールの間のインクリボンの張りの維持を補助するために、前記第２スプロケットに軸方向に作用する、請求項９６に記載のインクリボンカセット。
【請求項１０４】
前記ばねは細長い板ばねである、請求項１０３に記載のインクリボンカセット。
【請求項１０５】
前記スプロケットを支持する１つ又は複数のリブを更に備えている、請求項１０３又は１０４に記載のインクリボンカセット。
【請求項１０６】
インクリボンカセットにおいて、
インクリボンのロールを保持するための中空の供給スプールと、
巻き出されたリボンを前記供給スプール上に巻き戻すために前記供給スプールを回転させるため、少なくとも一部が前記供給スプールの内側に配置されている、駆動可能なスプロケットと、を備えており、
前記スプロケットの、前記供給スプールの内側に配置されていない端部は、内側円筒と外側円筒を備えており、前記内側円筒は、前記外側円筒よりも、前記供給スプールから遠ざかる方向に遠くまで伸張している、インクリボンカセット。
【請求項１０７】
前記供給スプールから巻き出されたリボンを巻き取るための中空の巻取りスプールと、
前記巻き取りスプールを回転させるために、少なくとも一部が前記巻き取りスプールの内側に配置されている、駆動可能なスプロケットと、を更に備えており、
前記スプロケットの、前記巻き取りスプールの内側に配置されていない端部は、内側円筒と外側円筒を備えており、前記内側円筒は、前記外側円筒よりも、前記巻き取りスプールから遠ざかる方向に遠くまで伸張している、請求項１０６に記載のインクリボンカセット。
【請求項１０８】
前記又は各外側円筒を支持する支承面を更に備えている、請求項１０６又は１０７に記載のインクリボンカセット。
【請求項１０９】
前記支承面は１つ又は複数のリブを備えている、請求項１０８に記載のインクリボンカセット。
【発明の詳細な説明】
【技術分野】
【０００１】
本発明は、印刷装置及びカセット又はカートリッジに関し、また、印刷装置とそのようなカセット又はカートリッジの組み合わせにも関する。
【背景技術】
【０００２】
広く知られている印刷装置の種類の１つに感熱式テーププリンタがある。感熱式テーププリンタは、一般的には、受像テープ上に印刷するための熱活性化可能なプリントヘッドを備えた印刷手段を備えている。通常、受像テープは、像を受け取るための上層と、接着剤の層でこの上層に固定された着脱可能なライナー層又は裏打層を有しており、像が印刷された後、このライナー層又は裏打層を外して、受像テープをラベルの形態で貼り付けることができるようになっている。このような感熱式プリンタは、像が印刷された後、受像テープを或る長さ分だけ切断するためのカッターを含んでいるものが多い。このような感熱式プリンタは、受像テープ、又は熱収縮管、磁石、アイロン貼り付けラベル、プラスチック条片などの様な他の受像担体の形態をした消耗品で作動する。「消耗品」という用語は、ここでは、受像テープを提供するのに適切なあらゆる形態を指す。受像テープは、連続した裏打シートを備えているが、受像層はラベル状に事前に切断されており、そのラベルを印刷して裏打シートから剥がせるようになっている。そのような受像テープで作動させるようにしたプリンタは、受像テープ切断用のカッターは不要である。
【０００３】
消耗品としては、供給される受動テープが収納されたハウジングを備えたカセット又はカートリッジを含め、多様な形態が当技術分野では知られている。カセットは、通常、一回しか使用できず、従って、受像テープを使い切ってしまうとカセット（ハウジングを含む）は棄てられる。
【０００４】
カセットは、供給用の受像テープを実質的に密閉したハウジングを有していてもよいし、このハウジングをもっと簡素化して、例えば、スプールと２つの側面で形成し、その中にテープを入れておくようにしてもよい。簡素化されたカセットは、受像ホルダと呼ばれることもある。
【０００５】
別の種類の消耗品としては、永久的なホルダの無い、例えば、紙芯に巻きつけた形態の巻きテープがある。それらは「補給品」と呼ばれている。
感熱式プリンタでは、像は、一般には、熱プリントヘッドをインクリボンに当てて作動させることによって生成され、インクリボンからのインクが受像テープの印刷領域に転写される。いわゆる、直接感熱式テープも利用可能であり、その場合、像はインクリボンを介在させずに直接感熱式テープ上に直接作成される。感熱式プリンタでインクリボンを使用する場合、インクリボンは、プリンタに挿入可能なハウジングを有するカセットに入れた状態で提供されるのが一般的である。インクリボンは、インクリボンと受像テープの両方がプリントヘッドを通過供給されるように、カセットから繰り出されて受像テープに重ねられる。各長さのインクリボンは、１回の印刷動作のみに使用され、その後、インクリボンカセットに巻き戻される。インクリボンも、従って消耗品である。
【０００６】
本発明に関係する種類の既知のテープ式印刷装置は、欧州特許第ＥＰ−Ａ−３２２９１８号及び同第ＥＰ−Ａ−３２２９１９号（ブラザー工業株式会社）及び同第ＥＰ−Ａ−２６７８９０号（Varitronic）に開示されている。プリンタは、それぞれ、カセット又はテープホルダを入れるためのカセット収容ベイを有する印刷装置を含んでいる。欧州特許第ＥＰ−Ａ−２６７８９０号では、テープホルダにインクリボンと担体テープが収納されており、担体テープは、上側の受像層を接着剤で裏打層に固定して構成されている。欧州特許第ＥＰ−Ａ−３２２９１８号及び同第ＥＰ−Ａ−３２２９１９号では、テープ保持ケースに、インクリボン、透明な受像テープ、及び両面接着テープが収納されており、この両面接着テープは、その一方の接着剤被覆面が印刷後は受像テープに固定され、また他方の接着剤被覆面から剥がすことのできる裏打層を有している。上記２つの装置では、像転写媒体（インクリボン）と受像テープ（担体）は同一カートリッジ内にある。
【０００７】
また、本出願人は、欧州特許第ＥＰ−Ａ−５７８３７２号で、インクリボンと担体テープを別々のカセット又はカートリッジに収納することを提案している。
上記何れの場合も、受像テープは、インクリボンに重ねられた状態で、固定されたプリントヘッドと、プリントヘッドを押しつけて像をインクリボンから受像テープに転写するプラテンとで構成される印刷領域に送られる。これを行うには、乾式レタリング又は乾式膜印刷を含め様々な方法があるが、現時点で最も一般的な方法は、プリントヘッドを加熱して熱でインクをインクリボンから受像テープに転写する感熱式印刷法である。
【０００８】
上記型式の装置には、ユーザーが文字、符号などを入力して、テーププリンタによって印刷される像を形成できるようにするキーボードが設けられている。キーボードには、普通は、それぞれ文字や数字を入力するためのテキスト文字キーと数字キーに加えて、なかでもメニューを実行して印刷属性を設定することができるようにする幾つかの機能キーがある。
【０００９】
カセットは、普通はプラスチック材料で作られ、実用的な目的で、２つ以上のモールド成形部品から形成されていることが多い。このようなカセットに付帯する１つの問題は、受像媒体の正確な配置と巻き出しを実現するため、各モールド成形部品は比較的複雑で、各部品は例えば溶接など製作工程で一体に組み付ける必要があるために、製造に費用がかかることである。圧入嵌合又はスナップ嵌合することのできる部品から作られたカセットを提供するのが望ましい。
【００１０】
そのようなカセットに付帯するもう１つの問題は、カセットからテープを過剰に巻き出す事態が発生し得ることで、これは望ましくない。これはカセットの輸送時に起こり得ることがあるが、プリンタ作動時にテープが駆動されているときにも発生する。テープの過剰な巻き出しを防止する手段を設けたカセットを提供することが望ましい。
【００１１】
カセットの使用時、中に入っている受像テープは、印刷に供するため、巻き出されカセットを出て行かねばならない。テープをプリントヘッドに対して、また使用されている場合にはインクリボンに対して、正確な位置に正しく整列させることが非常に重要である。これは、プリンタ内のガイド要素によって部分的には実現できるが、テープがガイド要素に到達した時点で正確に整列していなければ、正確な整列が実現できなくなる。既存のカセットに付帯する１つの問題は、受像テープは巻き出し時に横方向に動いてカセットを出て行く余地があり、巻き出し中の横方向の移動が蓄積され大きくずれて出て行くと、像がテープの中央に印刷されず、最悪の場合には、間違った位置に印刷されるため又はテープが折り畳まれるために、テープからはみ出すことすら起きることである。従って、既存の受像テープを確実に正しく整列させるための手段を有するカセットを提供することが望ましい。
【００１２】
これまで説明してきた型式のプリンタは、異なる幅のテープで使用できる場合が多い。これで、多くの異なるサイズのラベルを作成することができる。大抵、カセットハウジングのサイズは、カセットに収納されているテープの幅に対応しているので、テープサイズを目視で判断することができ、また必要以上に嵩張ったカセットハウジングの使用を回避することができる。ケーシングを適したサイズに作ることにより、カセット及びプリンタの設計次第で、テープをカセットから出し正しく整列させ易くなる。複数のカセットを提供することに伴う問題点は、様々な設計を行うための製造コストである。それらの費用を抑制できれば望ましい。
【００１３】
テープ幅の異なる各種カセットが利用可能なだけでなく、テープの色と形が異なる各種カセットを提供することも一般的である。また、プリンタで各種カセットが利用可能になると、その結果、ユーザー又は多数のユーザーは、各種カセットを使用したくなるが、全てのテープを同時に同じカセットで使用するわけではない。従って、ユーザーは、或るカセットを抜いて別のカセットを挿入することになる。これに付随して、テープの無駄遣いという問題が出てくる。これは、ラベル作成後には或る一定量の後続のテープ部分がカセットから出ており、カセットとプリンタのテープ出口との間の領域に存在していることにより発生する。カセットを取り出す前にこの後続のテープ部分を巻き戻して、次にそのカセットをプリンタに挿入して使う際にその部分が利用できるようにするのが望ましい。
【００１４】
印刷を首尾よく行うには、受像カセットをプリンタ内の所定の位置にしっかりと保持し、正しい位置に挿入せねばならない。カセットがプリンタ内で動き回ったり、挿入時に間違った位置に配置されたりする可能性があると、像をテープに正確に印刷することができなかったり、プリンタの故障が発生する原因となる。従って、プリンタ内でカセットを確実に正確に整列及び配置するための手段、及び挿入後にカセットを正しい位置に保持するための手段を提供することが望ましい。
【００１５】
殆どのプリンタは、テープカセットの供給スプールを回転させて、テープを印刷領域に送給する駆動手段を含んでいる。テープを印刷領域内で局所的に送給する更に別の手段を提供することが望ましい。
【００１６】
首尾よく印刷するもう１つの要件は、インクリボンカセットをプリンタに正しく挿入して正しい位置に維持することである。リボンカセットがプリンタ内で動き回る余地があると、インクリボンの送給が不正確になり、印刷時に受動テープへインクを正しく移せなくなる。従って、インクリボンカセットを正しく挿入し易くすると共に、インクリボンカセットがプリンタ内の正しい位置に確実に維持されるようにすることが望ましい。
【発明の開示】
【課題を解決するための手段】
【００１７】
本発明の第１の態様によれば、記録媒体用のカセットにおいて、上側ケーシング及び下側ケーシングと、上側ケーシングと下側ケーシングの間に配置されている、記録媒体のロールを保持するためのスプールと、スプールを取り囲み、上側ケーシングと下側ケーシングを接合するための側部ケーシングと、を備えており、側部ケーシングが、圧入嵌合又はスナップ嵌合接続で、上側ケーシングと下側ケーシングの少なくとも一方に装着されている、カセットが提供されている。
【００１８】
本発明の第２の態様によれば、記録媒体用のカセットにおいて、記録媒体用の出口領域と、この出口領域に配置されている第１及び第２フランジと、を備えており、前記各フランジは、記録媒体の縁部を受けいれ、前記縁部をその溝に沿って通すことできるように作られた１つ又はそれ以上の溝を備えている、記録媒体用のカセットが提供されている。
【００１９】
本発明の第３の態様によれば、ケーシングを備えている記録媒体用のカセットにおいて、前記ケーシングの或る領域には外面にリブがあり、前記リブは、カセットを挿入することのできる装置の溝の中を滑動できるようになっており、前記リブは、カセットを挿入することのできる装置の戻り止めにラッチ係合するように作られている突起部を備えている、カセットが提供されている。
【００２０】
本発明の第４の態様によれば、記録媒体のカセットを受け入れるように作られた記録媒体収容ベイを有する印刷装置において、前記収容ベイは、記録媒体のカセットを記録媒体収容ベイへ挿入する際にカセットのリブが沿って滑動することのできる溝を備えており、前記溝は、記録媒体のカセットのリブの突起部がラッチ係合することのできる戻り止めを備えている、印刷装置が提供されている。
【００２１】
本発明の第５の態様によれば、記録媒体のカセットを受け入れるように作られた記録媒体収容ベイを有する印刷装置において、前記収容ベイは、可動的且つ弾性的に取り付けられた第１及び第２支持体を備えており、前記印刷装置は、更に、前記両支持体の間に記録媒体のカセットを挿入するために、前記支持体同士を離すように操作可能で、且つ挿入された記録媒体カセットを前記記録媒体収容ベイに対して実質的に固定された位置に保持するために、前記両支持体を互いに向けて移動できるように操作可能である機構を備えている、印刷装置が提供されている。
【００２２】
本発明の第６の態様によれば、印刷装置に受け入れられるように作られたカセットにおいて、ランプ手段と弾性的可動部の内の一方であって、印刷装置側のランプ手段と弾性的可動部の内の他方と相互作用することのできるランプ手段と弾性的可動部の内の一方を備えており、カセットの挿入時に、前記ランプ手段は、カセットの挿入を阻止する位置からカセットの挿入を許容する位置まで弾性的可動部を移動させるようになっている、カセットが提供されている。
【００２３】
本発明の第７の態様によれば、印刷装置と、印刷装置に受け入れられるように作られたカセットとの組み合わせにおいて、前記印刷装置は、カセットのランプ手段と相互作用することのできる弾性的可動部を備えており、カセットの挿入時に、前記ランプ手段は、カセットの挿入を阻止する位置からカセットの挿入を許容する位置まで弾性的可動部を移動させるようになっている、印刷装置とカセットの組み合わせが提供されている。
【００２４】
本発明の第８の態様によれば、記録媒体を保持するための中空のスプールと、前記スプールの少なくとも一部の内側に配置され、スプールを回転させ記録媒体をスプールから巻き出すために駆動することのできるスプロケットと、を備えているカセットにおいて、前記スプロケットの、前記スプールの内面と接している面は、前記スプールの内面を支持する複数の突起を備えている、カセットが提供されている。
【００２５】
本発明の第９の態様によれば、記録媒体を保持しているカセットを受け入れるためのカセット収容ベイを備えているプリンタにおいて、前記カセット収容ベイは、カセットを収容ベイ内に挿入できるように開くことができ且つカセットを挿入するとばね力で閉じて挿入されたカセットを収容ベイ内に係止するように配置された、ばね付勢部を備えている、プリンタが提供されている。
【００２６】
本発明の第１０の態様によれば、プリンタで使用するカセットにおいて、前記カセットは外側面上に１つ又は複数のリブを備えており、前記リブの少なくとも１つは、実質的にチャネル形状をしており、前記チャネル形状の脚部の少なくとも１つは前記チャネル形状の基部に対して９０度より大きい角度で配置されている、カセットが提供されている。
【００２７】
本発明の第１１の態様によれば、プリンタとカセットとの組み合わせにおいて、前記プリンタは前記カセットを受け入れるためのカセット収容ベイを備えており、前記カセット収容ベイは、固定部分と、カセットを前記カセット収容ベイに挿入できるように開くことができ且つカセットを挿入するとばね力で閉じて挿入されたカセットを収容ベイ内に係止するように構成されたばね付勢部と、を備えており、前記ばね付勢部が開くと、前記ばね付勢部と前記固定部は一体となって１つ又は複数の溝を形成し、挿入時には前記カセットの対応する１つ又は複数のリブがこの溝を通って滑動することができ、これによって挿入時に前記ばね付勢部を開位置に維持する、プリンタとカセットの組み合わせが提供されている。
【００２８】
本発明の第１２の態様によれば、ケーシングを備え、前記ケーシング内に配置されている記録媒体を巻きつけたロールを有し、前記ロールは前記記録媒体の端部が前記ケーシングを出ることができるように巻き出すことのできる、記録媒体のカセットにおいて、前記カセットは、更に、前記ケーシング上に配置され、前記記録媒体に働きかけて前記記録媒体のロールの中心に向かう方向に力を作用させる向きに配置された板ばねを備えている、記録媒体のカセットが提供されている。
【００２９】
本発明の第１３の態様によれば、記録媒体を保持するための一組のカセットにおいて、各カセットは、上側部分と下側部分を備えており、前記上側部分と下側部分は、或る距離だけ離して配置され、前記距離に相当する幅を有する側面部に取り付けることにより一体に接合され、これによって、記録媒体のロールを、前記上側部分と下側部分の間に、前記記録媒体の幅が前記側面部の幅と実質的に平行な向きに配置された状態に保持できるようにしており、各カセットは異なる幅の側面部を有している、一組のカセットが提供されている。
【００３０】
本発明の第１４の態様によれば、記録媒体を保持するカセットと共に使用するためのプリンタにおいて、前記プリンタに挿入されたカセットの記録媒体を巻き出すため順方向に駆動し、記録媒体を巻き取るため逆方向に駆動することができる駆動手段と、挿入されたカセットがプリンタから取り出されることを検知し、そのような検知が行われたらカセットが取り出される旨を示す信号を生成するための検知手段と、を備えており、前記駆動手段は、生成された信号を受信し、これに応えて、挿入されたカセットの記録媒体を或る長さだけ巻き戻すため逆方向に駆動するように構成されている、プリンタが提供されている。
【００３１】
本発明の第１５の態様によれば、記録媒体を保持するカセットと共に使用するためのプリンタにおいて、プラテンと印刷手段とを備えている印刷領域であって、前記プラテンと印刷手段は、両者の間に前記プリンタに挿入されたカセット内に保持されている記録媒体を受け入れて、それにより或る長さの記録媒体上に像を印刷するように構成されており、前記プラテンは或る長さの記録媒体を前記印刷領域を通して駆動するよう回転させることができる、印刷領域と、回転させることによって挿入されたカセット内に保持されている記録媒体を巻き出して、これにより記録媒体を前記印刷領域に送給するように構成された送給ローラーを備えている駆動手段と、を備えており、前記駆動手段によって巻き出された或る長さの記録媒体が前記印刷領域に達すると、プラテンを回転させて、前記或る長さの記録媒体を、前記印刷領域を通して駆動するように構成されたプリンタが提供されている。
【００３２】
本発明の第１６の態様によれば、プリンタにおいて、記録媒体を保持しているカセットを受け入れるためのカセット収容ベイと、記録媒体が前記カセット収容ベイに挿入されたカセットを出て行く領域に配置されたローラー駆動手段と、前記ローラー駆動手段を、カセットを挿入することのできる位置から、記録媒体が挿入されたカセットを出て行く際に記録媒体に接触する位置に移動させるように操作することのできるレバー手段と、を備えているプリンタが提供されている。
【００３３】
本発明の第１７の態様によれば、インクリボンカセットにおいて、インクリボンのロールを保持するための供給スプールと、前記供給スプールから巻き出されたインクリボンが巻き取られる巻き取りスプールと、巻き出されたリボンを前記供給スプール上に巻き戻すため前記供給スプールを回転させるために配置されている駆動可能なスプロケットと、前記供給スプールと巻き取りスプールの間のインクリボンの張りを維持するために前記スプロケットに軸方向に作用するように配置されたばねと、を備えているインクリボンカセットが提供されている。
【００３４】
本発明の第１８の態様によれば、インクリボンカセットにおいて、インクリボンのロールを保持するための中空の供給スプールと、巻き出されたリボンを前記供給スプール上に巻き戻すために前記供給スプールを回転させるため、少なくとも一部が前記供給スプールの内側に配置されている、駆動可能なスプロケットと、を備えており、前記スプロケットの、前記供給スプールの内側に配置されていない端部は、内側円筒と外側円筒を備えており、前記内側円筒は、前記外側円筒よりも、前記供給スプールから遠ざかる方向に遠くまで伸張している、インクリボンカセットが提供されている。
【発明を実施するための最良の形態】
【００３５】
以下、添付図面を参照しながら本発明の実施形態を説明するが、これはほんの一例に過ぎない。
図中、類似部分は類似符号で示している。
【００３６】
印刷装置の機械的配置について、これより、図１から図４を参照しながら説明する。ラベル担体は、テープ２を備えており、ラベル担体が挿入された印刷装置によってこのテープ２上に像が印刷される。テープ２は、テープカセット６に収納されているが、その詳細は図４、図６ａ、図６ｂ、並びに図１０の分解図に最も解り易く示されている。テープカセット６は、形状が略円形である前方及び後方部６０（代わりに上側及び下側部分と呼んでもよい）と、供給用テープ２が巻かれている内側スプール６２とを備えている。内側スプール６２は、テープが巻き出されるとき、テープカセット６内で回転する。各部分６０に１つずつ２枚の板ばね６４が取り付けられ、テープが必要以上に巻き出されないようになっているが、これについては後で詳しく説明する。テープカセット６の部分６０の一方には、印刷装置の第１収容部６６にテープカセット６を収納できるようにする細長いリブ８が設けられているが、これについても後で詳しく説明する。
【００３７】
第１収容部６６は、図７ｂ、並びに図１１ａと図１１ｂに示されている。第１収容部６６は、側方支持体８６、８８を有している。この側方支持体（又はフランジ）８６は、テープカセット６の後方部６０の対応するリブ５８を受け入れるように設計された２つの溝６７を有している。これらリブ５８は、図１０で、カセット６の前方部６０上に示されている。リブ５８は、全体的に細長く、部分６０を横断して伸びている。２本のリブ５８が設けられており、互いに平行に間隔を空けて、リブ５８に対して直交する方向の部分６０の幅を横断して走っている。部分６０の中央の切抜き部６０ｂの両側に１本ずつリブ５８が設けられている。リブ５８はどちらも部分６０の中央を通ってはいない。各リブは、図１１ａに詳しく示す突起部９６を有しており、突起部９６は部分６０の外縁に向けて突き出ており、突起部９６自体はリブ５８の長さ方向に沿って概ね細長く伸びているが、リブ５８に比較するとかなり短い。突起部９６は、溝６７（図６ｂ及び図１１では１つだけ図示）の戻り止め８７に係止する形状になっている。
【００３８】
次の文節で説明するが、ユーザーは、リブ５８が一方の支持体８６、８８と協働すると共に、反対側の支持体が平行に動くように、カセット６を滑らせて挿入する。反対側の支持体は、供給スプール６２のスプロケット６８に挿入されるスプロケット８５を有している。
【００３９】
支持体８６、８８は、幅の異なるカセットに対応できるようになっており、これについて図１２を参照しながら説明していく。第１収容部６６の支持体８６と８８は、歯付きアーム８０と８２に接続されている。歯付きアーム８０と８２の歯は、はめ歯８４の両縁に係合している。これにより、支持体８６と８８の運動は鏡像関係となるので、各支持体は中心線Ａ（図１に図示）から常に等距離にある。これにより、テープは、テープの幅に関係なく、確実にプリントヘッドの中心に送給されることになる。支持体８６、８８は、ユーザーがカセット６を挿入することにより離すことができるが、この作業はハンドル９９で容易に行われる。次に、ばね７４（図１及び図１２ｂに図示）により支持体８６、８８が一体となってテープカセット６の両側面を把持する。ユーザーがテープカセット６を挿入する際にこれを支援するため、支持体８６の外縁に位置作動レバー９８が設けられている。このレバーは、具体的には図１１ｃ、１１ｄ、及び図１１ｇ−ｉに示されている。このレバー９８は、支持体８６、８８を複数の位置にしっかりと保持するためのロックの役目を果たす。レバー９８は、その下端にあるばね８１の作用に抗してその上端を押すと、支持体８６が滑動して支持体８８から離れ、これもレバー９８の下端に設けられている二次レバー８７が複数のスロット８３の１つに噛むようになっている。スロット８３は、プリンタのフレームに設けられている。支持体８６の滑動は、支持体の底部が取り付けられているガイドシャフト８９に支援されている。レバー９８を放すと、二次レバー８７は挿入されていたスロット８３から解放されるので、ばね７４が作用して、支持体８６、８８を互いに引き寄せることができるようになる。
【００４０】
上記リブ及び溝と支持体システムとは、カセット６をプリンタ内に確実に良好に配置し保持するため、一緒に使用してもよいし別々に使用してもよい。
印刷装置は、モーター１０で駆動されるギヤチェーン１２を備えており、ギヤチェーン１２は、テープカセット６からのテープを印刷装置の印刷領域３に向けて移動させる送給ローラー１４を駆動する。印刷領域では、プリントヘッド１６は、ばね２０でプラテンローラー１８に押しつけられている。ばね２０は、プリントヘッド取り付けブロック１９内に保持されている。
【００４１】
図７ａに示すように、収容部６６には、テープを供給スプール６２上に巻き戻してカセットを装置から取り外すことができるようにするために送給ローラー１４を駆動する、モーター１０（図１に図示）で駆動されるギヤチェーン７２が設けられている。このプリンタには、カセットが取り外されるときを検知する手段が設けられている。この実施形態では、ユーザーは、キーボード１０６でカセットを取り出そうとしていることを表示することができる。この表示によって信号が生成されてマイクロプロセッサ１００に受信され、その信号を使ってモーター１０を制御しスプール６２を逆方向に駆動する。マイクロプロセッサ１００は、モーター１０を制御して送給ローラー１４を駆動し、プリンタ内の所定の距離範囲に対応する量だけテープ２を巻き戻させる。最大距離は、切断装置４０（後で説明する）から、カセット６がプリンタに装着された際にテープ４がカセット６を出て行く箇所までの距離である。最小距離は、印刷領域３から、カセット６がプリンタに装着された際にテープ４がカセット６を出て行く箇所までの距離である。
【００４２】
テープ２を供給スプール６２に巻き戻す作業は、プリントヘッドが開いた状態にあり、プラテンローラーから離れている場合にのみ行うことができる。プリントヘッドは、手動又は自動の何れかで開くことができる。
【００４３】
インクリボンカセット８（図８ａ及び図８ｂに図示）は、インクリボン４を保持し、印刷装置の第２収容部に取り付けられている。インクリボンカセット８は、印刷装置のシャフト２２と２８に取り付けられている。取り付けブロック１９は、アクチュエータ２１で動かしてプリントヘッドとプラテンを分離し、インクリボンカセット８又はテープカセット６をプリンタから取り出せるようになっている。未使用のインクリボン２６は、全体を符号２４で示しプリンタシャフト２２に取り付けられている供給リール上に保存される。使用済みのインクリボン３２は、全体を符号３０で示しプリンタシャフト２８に取り付けられている巻き取りリール上に保存される。モーター３４が、ギヤチェーン３６を駆動する。モーター３４が順方向駆動状態のとき、第１組のギヤ３６ｃ、３６ｄがシャフト２８を駆動してインクリボン４を供給リール２４から巻き取りリール３０に向けて順方向に引くと、滑りクラッチ(図示せず)がシャフト２２を係合解除するので、シャフト２２は駆動されなくなり、回転自在となる。モーター３４が逆方向に駆動すると、第２組のギヤ３６ａ、３６ｂがシャフト２２を駆動してインクリボン４を巻き取りロールから供給リールへと逆方向に引き、滑りクラッチ（図示せず）がシャフト２８を係合解除するので、シャフト２８は駆動されなくなり、回転自在となる。
【００４４】
インクリボンカセット８は、インクリボン４が印刷領域３を通って伸張するする経路、具体的にはプリントヘッド１６とプラテン１８の間でテープ２に重なって伸張する経路を有するように印刷装置内に配置されている。プラテン１８は、プラテンモーター５６で駆動され、テープを印刷領域を通して駆動する。
【００４５】
切断装置４０は、印刷領域３の下流に配置されている。切断装置は、カッターホルダ５４に取り付けられた円形の切刃又は切断ホイール４４を備えている。切刃４４はテープ２をアンビル５２に押し当てて切断する。カッターモーター４２は、切断ホイール４４を休止位置からテープ幅を横断して駆動する。切断ホイール４４がテープの全幅を横断すると、カッターモーター４２は逆回転して、カッターホルダ５４を休止位置に戻す。カッターホルダ５４は、テープ２の全幅に亘っている２つのスライダ４６に滑動可能に取り付けられている。カッターホルダ５４は、２つのロ-ラー５０で支持されているベルト４８に取り付けられている。一方のローラー５０は、カッターモーター４２で駆動され、カッターホルダをスライダ４６に沿って動かす。
【００４６】
印刷装置の機械的機能についてこれより説明する。印刷時、テープ送給モーター１０とインクリボンモーター３４が作動してテープ２とインクリボン４をそれぞれ駆動し、同速度でプリントヘッド１６を通過させる。テープは、印刷領域に達すると、プラテンモーター５６で駆動されるプラテン１８にピックアップされる。この実施形態では、マイクロプロセッサ１００は、モーター１０がテープの送給を開始した後、所定の時間でプラテンモーター５６の駆動を開始するタイマーを起動させる。他の実施形態では、テープ端検出器を設けて、テープ４の先導端部が印刷領域３に送られたときを検知するようにしている。両事例とも、プラテンモーター５６の駆動は、テープの先導端部が実際にプラテン１８に達する直前に始まるが、先導端部がプラテンに達すると同時に始まるようにしてもよい。プラテン１８が回転し始めると、モーター１０の駆動が停止して、余分なテープが印刷領域３に送給されないようにしている。
【００４７】
像は、既知のやり方で、特定のプリントヘッド要素を活性化（加熱）させることに基づいてインクリボン４からのインクを担体２に移すことにより受像テープ２に転写される。像は、テープ２がプリントヘッド１６を通過する際に、カラム毎に印刷される。この印刷技法は既知であり、これ以上は説明しない。
【００４８】
ラベルの印刷が終了すると、テープ送給モーター１０とインクリボンモーター３４は、ラベルの端部が必要な切断位置に来るまでテープとインクリボンを所定の距離だけ送給し続ける。テープは、ここで切断装置４０により切断される。ダイカットラベルが使用されている場合、ラベルはこの位置で剥がされる。切断が完了すると、テープ２は、プラテンモーター５６が逆回転して、テープ２が次のラベルを印刷するための正しい位置に来るまでプラテン１８を逆方向に駆動することにより、逆方向に動かされる。テープ２が逆移動する間に、インクリボンモーター３４を逆方向に駆動することにより、インクリボン４もほぼ同じ速度で逆方向に動かされる。これにより、インクリボン４がテープ２と擦れて傷つくのを防ぐことができる。
【００４９】
図９に示す光センサー７６は、印刷装置のフレームに取り付けられており、テープ２の存在を検知する。これによって、プリンタにテープが入っていないときに、プリンタが印刷するのを防いでいる。
【００５０】
図５は、印刷装置の制御要素を示す概略ブロック図である。マイクロプロセッサ１００は印刷装置の動作を制御し、読み出し専用メモリＲＯＭ１０２、電子的に消去可能でプログラム可能な読み出し専用メモリＥＥＰＲＯＭ１１４、及びランダムアクセスメモリＲＡＭ１０４に関係付けられている。印刷装置は、印刷用のデータ（例えば、文字や符号）と制御コマンドを入力するためのキーボード１０６と、ユーザーに、編集中のラベル、制御コマンド、エラーメッセージなどを表示するための表示装置１０８とを含んでいる。マイクロプロセッサ１００は、プリントヘッド１６、テープ駆動モーター１０、インクリボンモーター３４、カッターモーター４２、及びプラテンモーター５６を制御する。
【００５１】
次に、テープカセット６の各種詳細、代わりのテープカセット１００、及びインクリボンカセット８について説明する。
まず図１０を参照すると、これはテープカセット６の分解図を示している。テープカセット６は、手作業で又は単純な機械技法で組み立てることのできる数多くの構成部品で作られている。溶接の様な複雑な工業的工程は何ら必要としない。テープカセット６は、プラスチック材料で製作するのが好都合であるが、適した材料であれば他の材料を使用してもよい。組立工程は、以下の通りである。
【００５２】
（ｉ）スプール６２をテープ２のロールの中心に置く。この実施形態では、テープ２は、裏打層と、印刷されることになる上層とで形成されており、上層は一連のラベルに事前に切断されている。他の実施形態では、切断装置４０で切断することのできる連続した上層を使用している。
【００５３】
（ii）カセット６の外形部６６又は側面部を、部分６０の一方に圧入嵌合する。外形部６６はテープカセット６の側面を形成し、部分６０はケースの前方及び後方部又は上方及び下方部を形成する。外形部６６は全体的には端が開いた円筒形であるが、完全な円筒にはなっていない。テープカセット６を組み立てた状態では、円筒の欠損部分は、テープがカセット６を出て行く領域にある。外形部６６には、その内面上に、外形部６６を形成している部分円筒の「長さ」即ち外形部６６の幅に亘って走る４本のポストが形成されている。各ポスト６３の各端部には、各部分６０の外縁に切り抜かれている対応する溝６０ａに圧入嵌合するための丸い突起６３ａが設けられている。こうして、外形部６６は、この実施形態では後方部と呼ぶことになる部分６０の一方に装着される。突起と溝の個数は４つより多くても少なくてもよい。突起６３ａの配置と対応する溝６０ａの配置により、確実に外形部６６を部分６０に正しく嵌め込むことができるので、外形部６６を形成する始点となる円筒の欠損部分は、テープカセット６の出口領域と整列する。部分６０の出口領域は、フランジ５９の存在によって示しているが、これは工程（iii）及び（iv）で説明する。
【００５４】
（iii）スプール６２上のテープ２を、結合された外形部６６と後方部６０の中に置く。テープ２の端をフランジ５９内に配置する。図１０と図６ａは、各フランジ５９は、略円筒形のテープカセット６から接線方向外向きに突き出し、フランジ５９の上側部分５９ａと下側部分５９ｂで形成されフランジ５９の長さに沿って間隔を空けて設けられた２つの溝６１を備えており、そのうちの一方の溝は、部分６０の本体に最も接近した端にあり、他方の溝は部分６０の本体から離れた端にあることを示している。こうして、組立工程のこの時点で、テープ２の一方の縁（図１０では後縁）は単純に溝６１に押し込まれる。
【００５５】
（iv）他方の部分、即ち前方部６０を、外形部６６の自由縁に圧入嵌合する。前方部の溝６０ａは、図１０では見えないが、後方部６０の溝６０ａ及び外形部６６の突起６３と整列している。こうして、テープ２とスプール６２は、２つの部分６０と外形部６６の内部に閉じ込められる。テープ２の、後方部６０のフランジ５９にまだ入っていない端部の縁を、前方部６０の溝６１に押し込む。
【００５６】
（v）前方及び後方部６０は、形状が概ね円形であるが、中心孔又は切抜き部６０ｂを含んでいる。スプロケット６８を前方部６０の孔６０ｂに押し込んでスプール６２に圧入嵌合し、プラグ７０を後方部６０の孔６０ｂに押し込んでスプール６２の他方の端部に圧入嵌合する。スプロケット６８は成形部付の内側円筒部６８ａを有しており、逆向き送給時に、これをピックアップしてスプロケットを駆動し、それによってスプール６２がテープ２をスプール６２上に巻き戻すことができるようになっている。プラグ７０も内側円筒部７０ａを有している。スプロケット６８とプラグ７０の内側円筒部は、部分６０の孔６０ｂ内で回転することができる寸法になっている。スプロケット６８とプラグ７０は、共に、部分６０の内部湾曲リブ６０ｃに嵌る、内側円筒部６８ａ、７０ａから伸張した円形フランジ６８ｂ、７０ｂを有している。図１０では、前方部６０のリブ６０ｃしか見えない。
【００５７】
（vi）板ばね６４を、前方及び後方部６０に組みつける。手順のこの部分を図１３に明確に示している。各板ばね６４は、実質的に真っ直ぐな取り付け部６４ａと、長くて湾曲したドラグ部６４ｂを有している。部分６０の内面は、それぞれ、突起５９と整列しているが、外形部６６の一方の端部と実質的に一致する位置で部分６０の領域から突き出ている、突起６０ｄを備えている。この様に、突起６０ｄは、カセット６からテープ２が出て行く出口点に設けられている。突起６０ｄの幅は、部分６０から現れる箇所が最も広く、遠位端のより狭い部分に向けて階段状に狭くなっている。各板ばねの取り付け部６４ａは、その上側に弾性を有する湾曲部６４ｃを備えており、この部分は、突起６０ｄの狭い方の部分に外挿され、突起６０ｄの広い方の部分の端に当たるように設計されている。矢印は、板ばね６４の装着方向を示しており、図１３は突起６４ｄを詳しく示している。装着すると、板ばね６４の長い方の部分６４ｂは、巻かれたテープ２にちょうど触れるぐらいに下向きに湾曲している。板ばね６４によって発生するドラグにより、カセット６が印刷に使用されていないときのテープ２の余分な巻き出しが防止されるが、印刷時にはドラグ力は負けてテープが巻き出されることになる。ドラグ力は、それでも、印刷時並びにカセットが印刷に使用されていないときの、テープ４の過剰な巻き出しを防止する。板ばね６４の形状と取り付けにより、ドラグ力は、スプールの中心に向かう方向に働く主成分を有している（しかし、テープに沿って作用する力もある）。板ばねは２枚あるので、ドラグ力はテープの両側の外縁に向けて働く。
【００５８】
テープカセット６のこの他の特徴を図６に示している。第１に、部分６０には、それぞれ縁部を切り抜いてフィンガグリップ９０を形成している領域がある、これは、片方の手でフィンガグリップを保持し、もう片方でテープを保持するのに便利なように、カセット６０の出口領域から少し回った位置に設けられている。縁部と中央切抜き部６０ｂの間に設けられた別の形状の切抜き部は、ユーザーがテープカセット６に入っているラベル又はテープの種類を視認できるようにする目視孔９２を形成している。
【００５９】
なお、一旦カセット６を組み立てると、２つのフランジ５９は、テープ２の両縁を保持するテープ２用のスリーブを形成する。また、フランジ５９はテープカセット６の幅に亘って（即ち、外形部６６の円筒形の「長さ」に沿って）対称的に配置されており、従って、テープ２は、溝６１を通る結果として、テープカセット６０を出て行く際に心出しされることが分かる。テープ２が中心のずれた状態でカセットを出て行くと、このズレはプリンタ内では補正できず、従ってテープ２は中心がずれたままプリントヘッドに達し、その結果、印刷品質が劣ることになるので、上記は重要な特徴である。
【００６０】
図１２に示す機構に関して先に説明したように、プリンタは、様々な幅のテープを保持している幅の異なるカセットに対応できるように設計されている。この幅が様々なカセット６は、テープ２と部分６０の間の余分な空間無しにカセット６がテープ２を収納するのに適した幅になるように、テープ２の幅に合わせて外形部６６の長さ寸法を変えることによって実現される。換言すると、テープの幅は一般的には外形部６６の幅よりもほんの僅かに狭くなっている。異なる寸法の外形部は、同じ製造治工具を使用して実現される。治工具は、プラスチック射出成形型であって、外形部６６をモールド成形するための金型の中に突き出し板を含んでおり、寸法の異なる様々な外形部は、突き出し板を異なる位置に配置することにより実現される。寸法が様々に異なる外形部６６は、同じ圧入嵌合取り付け部を有しているので、同じ部分６０と共に使用することができる。
【００６１】
これより図１４と図１０を参照しながら、スプロケット６８の別の特徴を説明する。図１０を見ると分かるように、スプロケット６８の内側円筒６８ａと、プラグ７０の内側円筒７０ａは、造形付の外表面を有している。造形とはリブ９４である。プラグ７０の表面を拡大して示している図１４ｂでは、更に明確に分かる。図１４ａは、円形フランジ７０ｂがスプール６２の縁部に当たるように、プラグ７０がスプール６２に嵌め込まれた状態を示している。リブ９４は傾斜しており、従って断面が三角形で内側円筒７０ａから外に伸びている。スプール６２は、厚紙で作られているので、プラグ７０を後方部６０の切り抜き部６０ｂを通して嵌める際には、内側円筒７０ａは滑動してスプール６２に入り、リブ９４はスプールの内側に押し込まれる。スプロケット６８上のリブ９４も、同様の方法でスプール６２の他方の端部に嵌め込まれる。
【００６２】
リブ９４は、スプール６２の内部面を支え、而してスプロケット６８及びプラグ７０上でスプール６２が緩まないようにするという利点を提供している。これにより、テープ２が不本意に動いてロールから外れることが防止される。別の利点は、スプール直径の許容差がそれほど重要ではなく、製造及び品質管理コストが下がる点である。突起の具体的な構成については、突起とスプール６２の内面との間が締まり嵌めになっている限り、それほど重要ではない。しかしながら、リブ９４が鋸歯状であれば、スプロケット６８上でスプール６２が緩むのを防ぐのに役立つ。
【００６３】
これより、カセットとプリンタの第２の実施形態について説明する。カセット６とは異なるテープカセットの特徴を強調表示し、また、カセットの異なる挿入法についても説明する。而して、第２のプリンタは、これまで説明してきたプリンタに類似しているが、カセット収容ベイが異なる。
【００６４】
第２の実施形態のカセットを、図１５に全体として参照番号１００で示している。カセット１００は、カセット６と同様の方法で、同様の部品から組み立てられているので、組立工程についてはここで繰り返し説明することはしない。
【００６５】
カセット１００とカセット６の間の１つの相違点は、カセットのテープ出口領域の形状である。カセット１００では、フランジ５９’は、その下側がカセット１００の本体と共により目立った窪み１０２を形成しており、カセット６のフランジ５９とは形状が異なっている。この窪みは、図１８に示すように、出てくるテープが押し付けられるプリンタのアイドラーローラー１０４を受け入れるためのものである。
【００６６】
カセット１００とカセット６の間の別の相違点は、外形部６６’の設計にある。外形部６６’は、図１６を見れば分かり易い。外形部６６’の外縁には、２つの位置決めリブ１０６と３つの固定リブ１０８が設けられている。位置決めリブは、外形部６６’の幅に亘って（即ち、外形部を円筒と考えた場合に、その「長さ」に沿って）走っており、形状は細長く、実質的に真っ直ぐである。位置決めリブの目的は、プリンタに挿入したときに、カセット１００が半径方向に回転するのを防ぐことである。固定リブ１０８の目的は、一旦挿入されたカセット１００が軸方向に動いてプリンタから出るのを防ぐことである。固定リブは、位置決めリブに類似した長い脚部分１０８ａと、長い部分１０８ａの一方の端から外形部６６’の円周に沿って少しだけ伸張している中間部又は基部１０８ｂと、水平部分１０８ｂの端から後戻りして外形部６６’の幅を横切って長い部分１０８ａから遠ざかる方向に伸張している短い脚部分１０８ｃと、を有するチャネル形状をしている。脚部分１０８ｃは、外形部６６’の幅の約半分に亘って伸張している。脚部分１０８ｃは、水平部分１０８ｂに対して直角よりも幾分大きい角度を形成して、カセット１００をプリンタに挿入し易くしている。
【００６７】
カセット１００のプリンタへの挿入について、これより図１７と図１８を参照しながら説明する。カセット１００は、２つの支持体の間に受け入れられるのではなくて、プリンタのカセット収容ベイ１１０に押し込まれる点で、カセット６とは異なっている。
【００６８】
カセット収容ベイ１１０を、図１７にカセットが挿入されていない状態で示している。カセット収容ベイ１１０は、形状が略円筒形で、一方の端に押し板１１２があり、他方の端は開いている。而して、図１７に示すように、カセット１００は押し板１１２上に載るよう下向きに挿入される。略円筒形の側面は、全体を参照番号１１４で示す係止リングで形成されている。係止リング１１４の内面には、図１７に示すように、位置決めリブ１０６を受け入れるための２つの溝１１６と、固定リブ１０８を受け入れるための３つの溝１１８が設けられている。カセット収容ベイの固定部分は、係止リング１１４の背後に位置している。カセット１００を挿入するには、リブ１０６、１０８と溝１１６、１１８を整列させて、各リブがその対応する溝に沿って滑るように、カセット１００を下向きに押し込む。押し板１１２は可動なので、カセット１００が挿入されると図１７で下向きに押される。
【００６９】
係止リング１１４は、テープ２がカセット収容ベイを出て、アイドラーローラー１０４を通り過ぎることができるように、テープ２用の出口スリットを含んでいる。これは図１８ａを見ると最も分かり易く、挿入されたカセット１００が押し板１１２を押し下げた状態を示している。
【００７０】
図１７ａと図１７ｂは、カセット１００を挿入することができる開位置にある係止リング１１４を示している。図１７ｂは図１７ａと同様であるが、係止リング１１４にハッチングを施しカセット収容ベイ１１０の他の部品と区別して示している。この位置では、溝１１６、１１８は開いている。押し板１１２は、テープ幅、従ってカセット１００の幅次第で、対応する距離分だけ押し下げられることになる。押し板１１２は、係止リング１１４に接続されており（両者は都合よく単一部品で形成されている）、係止リングにはばね１２０で半径方向にばね荷重が掛けられている。従って、カセット１００を所定の位置に押し込むと、ばね１２０は、カセット収容ベイ１１０の固定部品に対して、図１７及び図１８で時計回りにリング１１４を回すことにより、溝１１６、１１８を閉じようとする。しかしながら、カセット１００が完全に挿入されるまでは、リング１１４を回転させて溝１１６、１１８を閉じることはできない。これは、挿入時には、固定リブ１０８が溝１１８を開状態に保持するためである。カセット１００が挿入されると、固定リブ１０８の基部１０８ｂは押し板１１２に向かって回転する。脚部１０８ｃの角度は、円滑な挿入を促す。カセットが一旦完全に挿入されると、固定リブ１０８は溝１１８を過ぎるので、ばね１２０が作動して係止リング１１４を回して溝１１６、１１８を閉じることができる。
【００７１】
図１８ａは、カセット１００が完全に挿入され、従って溝１１６、１１８が閉じられたために、既に溝ではなくなった状態を示している。図１８ｂは、係止リング１１４の外側を示しており、係止リング１１４の一部１１４ａが固定リブ１０８の脚部分１０８ｃの上に滑って載った状態を示している。この様に、固定リブ１０８の脚部１０８ｃが係止リングの部分に当接し、これにより、カセット１００がプリンタから取り出されるのを防いでいる。これは図１８ｃを見るともっと理解しやすく、図１８ｃは図１８ｂと同様の図であるが、係止リング１１４の部分にハッチングを施し、カセット収容ベイ１１０の他の部分と区別している。カセット１００は、完全に挿入されると、テープ２をプリントヘッドに送給するための正しい位置にくる。これは、固定リブ１０８が異なる幅のカセットに対応して短くなったり長くなったりするおかげで、押し板１１２がそれぞれのカセットに合わせて異なる量だけ動くために、様々な幅のカセットに対して実現される。この様に、リブ１０６、１０８を使ってカセット１００を挿入すると、カセット１００、従ってテープ２をプリントヘッドに対して確実に心出しできるようになる。
【００７２】
カセット収容ベイ１１０は、カセットの挿入後に、カセットの露出した面を覆うために閉じられるドア（図示せず）を有している。ドアを閉じると、アイドラーローラー１０４が作動位置に移動し、カセット１００を出るテープ２に接触する。
【００７３】
他の実施形態では、別個のレバーを使用してアイドラーローラー１０４を所定の位置まで回転させる。また、係止部１１４を閉じることによりアイドラーローラーを部分的又は全体的に所定の位置まで移動させることもできる。部分的にしか動かさない場合には、レバー又はドアを使用して完全に移動させてもよい。
【００７４】
インクリボンカセット８について、まず図８ａと図８ｂを参照しながら、更に詳しく説明する。リボンカセット８は、上に述べた第１及び第２の実施形態のプリンタの何れと使用するのにも適している。図８ａは、インクリボンカセット８の上面斜視図であり、図８ｂは底面斜視図である。更に図１９では、構造を説明し易くするため、インクリボンカセット８の分解図を示している。
【００７５】
インクリボンカセット８は、全体的には底部分１２０とカバー部分１２２で構成されている。これら両部品は、それぞれ、一体に接合された２つの半円筒体を備えており、部品１２０と１２２を一体に接合すると２つの円筒が形成され、一方は供給リール２４の収納用であり、他方は巻き取りリール２８の収納用である。供給リール２４は供給スプール１２４を備えており、巻き取りリール２８は巻き取りスプール１２６を備えている。カバー部分１２２の２つの半円筒体を、半円筒体の最大幅部分、即ち図８ａ及び図１９の底に向けて接合すると、インクリボン４が供給スプール１２４から現れる際に、接合部の直ぐ上のスリットから出てきて、第２のスリット１３０を通って再びカセット８に入り巻き取りスプール１２６に巻き取られるまで、２つの半円筒体で相対的に保護されるようになっている。インクリボン４は、２つの円筒の間の領域を通過する際に、印刷に使用される。
【００７６】
図１９から分かるインクリボンカセット８の別の特徴は、供給スプール１２４と巻き取りスプール１２６の内側にそれぞれ嵌ってスプールを駆動できるようにする供給スプロケット１３２と巻き取りスプロケット１３４、及び供給スプール１２４の両側にある一対のスペーサ１３６である。同様のスペーサ対１３８が、巻き取りスプール１２６の両側に嵌るように配置されている。更に、コイルばね１４０、１４２が、供給スプロケット１３２と巻き取りスプロケット１３４それぞれに作用するように配置され、それぞれ、ばねに外挿するカバー１４４、１４６が装着されている。ばね１４０、１４２の目的は、スプロケット１３２、１３４に対して軸方向に一定の力を作用させて、インクリボンに張りを維持することにある。底部分１２０の端壁は、平坦又は平面状の円板状の部分１５２となっており、その上にばね１４０、１４２の他端が支持される。単一のばねを一方のスプロケットだけに作用させるようにしてもよいが、ばねを２つ使う方がインクリボンの張りをより巧く制御できる。
【００７７】
図２０は、インクリボンカセット８の底部分１２０を更に詳しく示している。底部分１２０をカバー１２２に圧入嵌合できるようにするための圧入嵌合部１４８、及び確実にカバーと正確に嵌合させるための複数の整列リブ１５０が見える。底部分１２０の一方の端に形成された平坦なばね支持体１５２も見える。ばね１４０、１４２の端部は、これらの支持体に支えられ、スプロケット１３２、１３４に必要な力を加えることができるようになっている。最後に、スプロケット１３２、１３４の端部（ばねが接する箇所）が達する底部分１２０の領域に、２つの巻き戻しブレーキ１５４が見える。これらはポストの形態を採っており、カバー１２２には対応する２つのポストがある。これらの目的は、カセット８の輸送時に、インクリボン４の巻き出しを防ぐことである。
【００７８】
巻き戻しブレーキ１５４の動作については、巻き出しスプロケット１３２（巻き戻しスプロケット１３４も同じ）を示している図２１ａと図２１ｂを参照すれば理解し易い。ばね１４０に接するスプロケット１３２の端部は、３つの円筒で形成され、それらは全てスプロケット１３２の本体よりも大きな直径を有している。直径が最大の内側の円筒１５６は、比較的平坦な円板で、ばねの接触点から最も離れた位置にある。これには、円板に切り込まれ、スプロケット１３２の本体に接する面上の本体のすぐ外側に円形に位置する一連の開口１６２が形成されている。ポスト１５４は、開口１６２に嵌り、それによりスプロケット１３２を、カセット８が振動を受けても容易には回らないように保持している。
【００７９】
回転防止リブ１６４は、スプロケット１３２の長さのかなりの部分に沿って走っており、インクリボン４を巻き戻すためにスプールと能動的に係合するため、スプール１２４の内部の対応する窪みに填り込むようになっている。
【００８０】
他の２つの円筒、即ち外側円筒１５８と内側円筒１６０は、スプロケット１３２の端部を形成している。内側円筒１６０は、外側円筒の内側にあるが、ばね１４０の方向により外側へ伸びている。これは、ばね１４０との一定の接触を維持するためである。外側円筒は、スプロケット１３２に対する底部分１２０の内部に載る支承面として使用される。
【００８１】
これより、図２２及び図２３と共に図８ａを再度参照する。図８ａから分かるように、インクリボンカセット８には、カバー部１２２の、ばね１４０、１４２が配置されている端部の上面に、供給用円筒と巻き上げ用円筒の概ね真ん中に、切り取られたランプ１６６が設けられている。中央に設けているのは、プリンタに対してインクリボンカセット８を挿入し、取り出す際に、力が釣り合うようにするためである。ランプ１６６は、カセット８の端に向かって上向きに傾斜している。
【００８２】
図２２ａは、インクリボンカセット８が部分的にプリンタに挿入された状態を示している。インクリボンカセットは、先ず、ランプの無い側の端部が対応する形状の窪みに挿入され、スプール１２４、１２６の長さに沿う方向に押し込まれる。プリンタは、各スプロケットに作用する放出ばね１６８（図２２ａでは１つしか見えない）を含んでおり、カセットが挿入されると、シャフト２２、２８のプリンタスプロケットが滑動してスプロケット１３２、１３４（見えない）に入る。
【００８３】
図２２ｂは、プリンタのロック１７０の拡大図を示している。このロックは、ランプ１６６と相互作用するように設計されている。図２３から分かるように、ロック１７０は、弾性的に可動で、図２２ｂでは下向きに伸張し、カセット８が挿入されるとランプ１６６に当たる、ばね付勢ボタン１７２を含んでいる。また、ランプ１６６の他にも、カセット８の同じ面には、ランプ１６６の直ぐ後ろ（即ち、カセット８の縁から更に離れた箇所）に、ボタン１７２を受け入れるために設けられたスロット１７４があることも分かる。なお、カセット８は、ランプ１６６とスロット１７４の領域では有限の深さを有しており、従って、スロット１７４はカセットの材料の厚さ分だけ伸張していると理解されたい。しかしながら、ボタン１７２は、インクリボンカセット８に係合し、次の節で説明するように、ロック１７０を解除するために便利に使用することができるロック１７０の可動中央部１７１に接続されているので、上記は必須ではない。
【００８４】
図２３は、プリンタにカセット８を挿入する３つの段階を示しており、図２２とはロック１７０を上下逆さに示している。図２３ａでは、ランプ１６６はロックの位置に達しておらず、従って、ボタン１７２はばね付勢され外に出ている。この様に、カセット８にランプ１６６が無ければ、ボタン１７２が挿入を防ぐことになるので、カセットを挿入することはできない。中央部１７１は、ロック１７０の前面、即ちプリンタの外面に向いた位置にある。図２３ｂでは、カセット８が矢印Ａの方向に挿入され、ランプ１６６が、ボタン１７２に当たって、ボタン１７２が図２３ｂの面一位置に達し、カセットがロックを解除するまで、徐々にボタンを押し上げ（本図では下向き）ている。中央部１７１は、ボタン１７２で内側に、即ちプリンタの内部に向けて移動している。図２３ｃでは、カセット８は完全に挿入され、従って、ボタン１７２は外に押し戻され、スロット１７４に入り、スロットの深さを越えて突き出た状態となる。中央部１７１も元の位置に戻っている。この様にして、カセット８はプリンタ内の所定の位置に係止される。
【００８５】
カセット８をプリンタから取り出す場合、中央部１７１を内向きに押すと、ばね１６８がカセットを解放する。
なお、ランプとボタンの機構は、逆の場合にも、即ちプリンタにランプとスロットを設け、カセットにボタンを設けた場合にも、等しく良好に機能するものと理解されたい。        
【００８６】
次に、図２４から図２６は、全体を参照番号２００で表すインクリボンカセットの代わりの実施形態を示している。このインクリボンカセットは、上に述べた２つのプリンタ実施形態のどちらにも使用することができる。図２４の分解図では、このカセットがインクリボンカセット８と同様な構成要素を有していることを示している。１つの相違点はばね１８０である。これは、インクリボンカセット８のばね１４０、１４２の代わりに設けられた、単一の概ね平坦で細長いばねである。図２５ａは、このばねを、ばね１８０の各端に向けて１つずつ設けられた２つの湾曲部１８０ａがスプロケットの両端に作用することができるように、カセットの底部に挿入する様子を示している。図２５ｂは、カセット２００に挿入されたばね１８０を示している。このばねは、インクリボンに張りを維持する点で、ばね１４０、１４２と同様な効果を有している。ばね１８０を使用することの利点は、これによりカセット２００がカセット８よりも更にコンパクトになる点である。
【００８７】
図２６は、インクリボンが無い状態のカセット２００の底部を示している。底部の一方の端に向けて、インクリボンとスプロケットが配置される一方の端部の領域に、底部を横断して走っている２つのリブのセット１８０が設けられていることが分かる。これらのリブは、外側円筒１５８（インクリボンカセット８に関する図２１ｂを参照）を支承するためのものである。このようなリブはインクリボンカセット８に設けてもよい。
【００８８】
上記各実施形態では、記録媒体としてテープの例を使ったが、本発明及び上記の実施形態は、他種の記録媒体、例えば、ダイカットラベルでも等しく良好に機能する。
出願人は、本発明が、提示した請求項の範囲に限定されることなく、暗示的にしろ明示的にしろ、ここに開示した全て特徴又は幾つかの特徴の組み合わせ、或はそれらを一般化したものを含んでいる事実に注意を促したい。これまでの説明に照らし合わせ、当業者には自明のように、本発明の範囲内で様々な変更を加えることができる。
【図面の簡単な説明】
【００８９】
【図１】印刷装置の機械的配置の平面図である。
【図２】印刷装置の機械的配置の側面図である。
【図３】印刷装置の機械的配置の前面図である。
【図４】図１のＡ−Ａ線に沿う印刷装置の機械的配置の断面図である。
【図５】印刷装置の制御要素の概略ブロック図である。
【図６】図６ａ及び図６ｂは、テープカセットを異なる角度から見た斜視図であり、図６ｂは、更にテープカセットと相互作用する印刷装置の一部も示している。
【図７】図７ａは、印刷装置の収容部分に収納されたテープカセットの斜視図であり、図７ｂは、印刷装置の収容部のテープカセットが装着されていない状態の斜視図である。
【図８】図８ａと図８ｂは、共にインクリボンカセットの斜視図である。
【図９】印刷装置の平面図で、光センサーを示している。
【図１０】図６のテープカセットの分解図を示している。
【図１１】図１１ａから図１１ｉは、テープカセットがプリンタのカセット収容部に挿入されている図である。
【図１２】図１２ａから図１２ｄは、テープカセットをカセット収容部で整列及び保持するための機構の図である。
【図１３】テープカセットに対する板ばねの装着を示している。
【図１４】テープカセットのスプールとスプロケットの詳細を示している。
【図１５】第２の実施形態のテープカセットを示している。
【図１６】図１５のテープカセットの輪郭の詳細を示している。
【図１７】図１７ａと図１７ｂは、第２の実施形態のプリンタのテープカセット収容ベイを示している。
【図１８】図１８ａから図１８ｃは、図１７のカセット収容ベイに挿入された図１５のテープカセットを示している。
【図１９】図８のインクリボンカセットの分解図を示している。
【図２０】インクリボンカセットの底部の内部を示している。
【図２１】図２１ａと図２１ｂは、共にインクリボンカセットのスプロケットの図である。
【図２２】図２２ａと図２２ｂは、インクリボンカセットのプリンタへの挿入を示している。
【図２３】図２３ａから図２３ｃは、インクリボンカセットをプリンタに係止するための係止機構の詳細を示している。
【図２４】代わりのインクリボンカセットの分解図である。
【図２５】図２５ａと図２５ｂは、図２４のインクリボンカセットの底部の図を示している。
【図２６】図２４のインクリボンカセットの底部の、インクリボンが無い状態を示す別の図である。
【図１】
2006512223.tif 000003
【図２】
2006512223.tif 000004
【図３】
2006512223.tif 000005
【図４】
2006512223.tif 000006
【図５】
2006512223.tif 000007
2006512223.tif 000008
2006512223.tif 000009
2006512223.tif 000010
2006512223.tif 000011
2006512223.tif 000012
【図９】
2006512223.tif 000013
【図１０】
2006512223.tif 000014
2006512223.tif 000015
2006512223.tif 000016
2006512223.tif 000017
2006512223.tif 000018
2006512223.tif 000019
2006512223.tif 000020
2006512223.tif 000021
【図１５】
2006512223.tif 000022
【図１６】
2006512223.tif 000023
2006512223.tif 000024
2006512223.tif 000025
2006512223.tif 000026
2006512223.tif 000027
【図１９】
2006512223.tif 000028
【図２０】
2006512223.tif 000029
2006512223.tif 000030
2006512223.tif 000031
2006512223.tif 000032
【図２４】
2006512223.tif 000033
2006512223.tif 000034
【図２６】
2006512223.tif 000035
【国際調査報告】
2006512223.tif 000036
2006512223.tif 000037
2006512223.tif 000038
2006512223.tif 000039
2006512223.tif 000040
2006512223.tif 000041
2006512223.tif 000042